(57)【要約】      （修正有）【課題】電池の使用寿命を延長することを可能にする発光を制御可能な装飾品を提供する。【解決手段】発光を制御可能な装飾品は、連結ユニット１１、連結ユニット１１の一端に固定される造形物２１および造形物の内部に装着される発光装置３１を備える。連結ユニット１１は、一端に固定部１２を有し、固定部１２に向かい合う他端にストッパー１３を有する。造形物２１の底面２２は、連結ユニット１１の固定部１２に被さる。造形物２１は内部に密閉空間を有し、頂面２６に対応する内側に接触部を有する。発光装置３１は電池３２によって電源を供給し、かつ発光ユニット３５およびスイッチ３６を有し、スイッチ３６は接触部に向かい合うように配置されるため、造形物２１が外力によって圧迫される際、接触部とスイッチ３６とを互いに接触させ、発光装置３１の電源を開閉することが可能である。【選択図】図１
0003153617.tif 000002
【実用新案登録請求の範囲】
【請求項１】
取付対象物に取り付け可能な連結ユニット、連結ユニットの一端に固定される造形物および造形物の内部に装着される発光装置を備える発光を制御可能な装飾品であって、
前記連結ユニットは、一端に固定部を有し、前記固定部に向かい合う他端にストッパーを有し、
前記造形物は、頂面および底面を有し、前記底面は前記連結ユニットの前記固定部に被さり、前記頂面に対応する内側に接触部を有し、
前記発光装置は、少なくとも一つの電池によって電源を供給し、かつ発光ユニットおよびスイッチを有し、前記スイッチは前記接触部に向かい合うように配置されるため、前記造形物が外力によって圧迫される際、前記接触部と前記スイッチとが互いに接触し、前記発光装置の電源を開閉することが可能であることを特徴とする発光を制御可能な装飾品。
【請求項２】
前記発光装置は、さらに回路制御板を有し、
前記発光ユニットおよび前記電池は、前記回路制御板に配置され、
前記回路制御板は、振動センサーを有し、
前記発光ユニットは、前記振動センサーの制御によって発光し、
前記回路制御板は、頂面および底面を有し、
前記発光ユニットは、前記回路制御板の前記頂面に配置され、
前記電池は、前記回路制御板の前記底面に配置されることを特徴とする請求項１に記載の発光を制御可能な装飾品。
【請求項３】
前記連結ユニットは、前記固定部と前記ストッパーとの間に連結部を有し、
前記連結部は、中空の柱体を呈し、
前記発光装置は、振動センサーを有し、
前記連結部は、前記振動センサーを収容可能であり、
前記連結ユニットの前記固定部は、周縁に沿って上に伸びて形成された壁面を有し、前記壁面の内部に陥没溝が形成され、
前記陥没溝は、前記発光装置の装着に用いられ、
前記造形物は開口部を有し、
前記連結ユニットの前記固定部の前記壁面は、前記開口部から前記造形物の内部に差し込まれるため、前記発光装置の前記発光ユニットは、前記造形物の内部に据えられ、
前記連結部の外径が前記固定部と前記ストッパーの外径より小さいため、前記固定部と前記連結部との連接箇所に第一制止面が形成され、前記ストッパーと前記連結部との連接箇所に第二制止面が形成されることを特徴とする請求項１に記載の発光を制御可能な装飾品。
【考案の詳細な説明】
【技術分野】
【０００１】
本考案は、取付対象物に取り付け可能な装飾品に関し、詳しくは、発光を制御可能な装飾品に関するものである。
【背景技術】
【０００２】
図５に示すように、靴、帽子、リュックサックおよび衣服など取付対象物１に取り付け可能な発光装飾品２は、連結ユニット３、造形物４および造形物４の内部に装着される発光装置５から構成される。連結ユニット３は固定端６およびストッパー７を有し、固定端６は造形物４との連結に用いられ、ストッパー７は取付対象物１の穿孔８との連接に用いられる。発光装置５は、発光ユニット９１、振動センサー９２および給電用電池９３を有する。振動センサー９２が振動を感知すると、発光ユニット９１が光源を発する。
【０００３】
上述の構造から構成された発光装飾品２は、電池９３を制御可能な電源スイッチが整っていないため、発光装飾品２の組立が完成した後、電池９３は導通状態を保持したまま電力を持続的に消費する。かつ発光装飾品２を店頭まで輸送し、店頭で販売する間に時間がかなり潰されてしまうため、消費者が購入した発光装飾品２は電力があまり残留していないか完全に消費されてしまい、光源発生効果を果たすことができなくなる。
【考案の概要】
【考案が解決しようとする課題】
【０００４】
本考案の主な目的は、電池の使用寿命を延長することを可能にする発光を制御可能な装飾品を提供することである。
【０００５】
本考案のもう一つの目的は、取付対象物に容易に取り付け、装飾効果を果たし、かつ取付対象物に取り付けられたまま造形物を取り外し、異なる造形物に取り替えることを可能にする発光を制御可能な装飾品を提供することである。
【課題を解決するための手段】
【０００６】
上述の目的を達成するために、本考案による発光を制御可能な装飾品は、取付対象物に取り付け可能な連結ユニット、連結ユニットの一端に固定される造形物および造形物の内部に装着される発光装置を備える。その特徴は次の通りである。
連結ユニットは、一端に固定部を有し、固定部に向かい合う他端にストッパーを有する。造形物は頂面および底面を有し、底面は連結ユニットの固定部に被さる。造形物は内部に密閉空間を有し、頂面に対応する内側に接触部を有する。発光装置は少なくとも一つの電池によって電源を供給し、かつ発光ユニットおよびスイッチを有し、スイッチは接触部に向かい合うように配置されるため、造形物が外力によって圧迫される際、接触部とスイッチとを互いに接触させ、発光装置の電源を開閉することが可能である。
【図面の簡単な説明】
【０００７】
【図１】本考案の一実施形態による発光を制御可能な装飾品の分解斜視図である。
【図２】本考案の一実施形態による発光を制御可能な装飾品が組み立てられた後の構造を示す模式的な断面図である。
【図３】本考案の一実施形態による発光を制御可能な装飾品において造形物が外力を受けると接触部とスイッチとが互いに接触する状態を示す模式的な断面図である。
【図４】本考案の一実施形態による発光を制御可能な装飾品において振動センサーが振動を感知すると発光ユニットがちらついて発光する状態を示す模式的な断面図である。
【図５】従来の発光装飾品の構造を示す模式的な断面図である。
【考案を実施するための形態】
【０００８】
以下、本考案の実施の形態を図面に基づいて説明する。
（一実施形態）
図１および図２に示すのは説明のために本考案に採用された実施形態の構造であるが、この構造は請求範囲を制限することができない。
【０００９】
本実施形態による発光を制御可能な装飾品は、取付対象物１０に取り付け可能な連結ユニット１１、連結ユニット１１の一端に固定される造形物２１および造形物２１の内部に装着される発光装置３１を備える。
【００１０】
連結ユニット１１は、一端に固定部１２を有し、固定部１２に向かい合う他端にストッパー１３を有し、かつ固定部１２とストッパー１３との間に連結部１４を有する。連結部１４は中空の柱体を呈し、外径が固定部１２とストッパー１３の外径より小さいため、固定部１２と連結部１４との連接箇所に第一制止面１５が形成され、ストッパー１３と連結部１４との連接箇所に第二制止面１６が形成される。ストッパー１３は片体を呈し、かつ第二制止面１６に向かい合う弧状面１７を有する。連結ユニット１１の固定部１２は、周縁に沿って上に伸びて形成された壁面１８を有するため、壁面１８の内部に陥没溝１９が形成される。
【００１１】
造形物２１は、透光性のある軟質材料から構成された立体造形である。造形物２１は、頂面２６および底面２２を有し、内部に密閉空間２４を有する。底面２２は開口部２３を有するため、連結ユニット１１の固定部１２の壁面１８は開口部２３から造形物２１の内部に差し込まれ、造形物２１と連結ユニット１１の固定部１２とを連結することが可能である。造形物２１は、頂面２６に対応する内側の壁面に下に突出して形成された接触部２５を有する。
【００１２】
発光装置３１は、連結ユニット１１の固定部１２の陥没溝１９に装着されるため、発光装置３１は造形物２１の内部に据えられる。発光装置３１は少なくとも一つの電池３２によって電源を供給し、かつ回路制御板３３、振動センサー３４、発光ユニット３５およびスイッチ３６を有する。回路制御板３３は、頂面３３１および底面３３２を有する。発光ユニット３５およびスイッチ３６は、回路制御板３３の頂面３３１に配置される。スイッチ３６は、密閉空間２４の接触部２５に向かい合うように配置される。発光ユニット３５は、振動センサー３４の制御によって光源を発する発光ダイオードである。電池３２は、回路制御板３３の底面３３２に配置され、かつ陥没溝１９の底部に据えられる。振動センサー３４は、連結部１４の中空の柱体の内部空間に収容されるため、回路制御板３３の頂面３３１上の占有空間を減少させることが可能である。
【００１３】
本実施形態を使用する際、取付対象物１０に連結ユニット１１を取り付ける。取付対象物１０は、靴、帽子、リュックサック、衣服などの軟質系の材質にすることが可能である。取付対象物１０は、複数の連結孔１０１を有し、連結孔１０１は軟質系の材質であるため、拡張性を有するため、連結ユニット１１のストッパー１３が取付対象物１０の連結孔１０１に差し込まれ、連結ユニット１１の固定部１２の第一制止面１５およびストッパー１３の第二制止面１６が連結孔１０１の両側に別々に突き当たれば、連結ユニット１１を取付対象物１０にスムーズに固定することが可能である。造形物２１は、取付対象物１０の表面に位置付けられる。装飾効果を増加させるために、複数の異なる造形物２１を有する装飾品を用意することが可能である。従って、使用者は好みに応じお気に入りの装飾品を取付対象物１０に取り付け、装飾効果を高めることが可能となる。歩く際、造形物２１内の発光装置３１が振動し、発光装置３１の振動センサー３４が振動を感知すると、発光ユニット３５がちらついて発光するため、装飾品の装飾効果を増加させることが可能なだけでなく、夜間徒歩の際に警告ランプとして使用することが可能である。従って、使用上の実用性および趣味性を増加させることが可能となる。取付対象物１０上の装飾品を取り外すか取り替える必要がある場合、連結ユニット１１のストッパー１３を取付対象物１０の連結孔１０１から抜き出せば、装飾品を迅速に取り外すか、形の異なる造形物２１を有する装飾品に取り替えることが可能である。
【００１４】
図３に示すように、発光装置３１の電源を起動する際、造形物２１の頂面２６に外力を与えれば、造形物２１内部の接触部２５をスイッチ３６に強制接触させ、発光装置３１の電源を起動することが可能である。図４に示すように、振動センサー３４が振動を感知すると、発光ユニット３５がちらついて発光する。発光装置３１の発光ユニット３５は造形物２１の内部に据えられ、造形物２１は透光性があるため、発光装置３１の発光ユニット３５が発した光源を放射することが可能である。
【００１５】
本実施形態では、スイッチ３６と接触部２５の設計によって電池３２の導通状態を切り替えることが可能である。従って、本実施形態による発光を制御可能な装飾品を輸送するか販売する過程において発光装置３１の電源を切ることによって電池３２の使用寿命を確実に延長することが可能となる。
【００１６】
本実施形態の主な長所は次のとおりである。本実施形態の構造によって装飾品を取付対象物１０に容易に取り付けたり、取り外したりすることが可能であるため、変化性を有する。発光装置３１は装飾上の趣味性を有するだけでなく、夜間徒歩の際に警告ランプとして使用することが可能である。本実施形態は、電池３２の導通状態を切り替えることが可能であるため、電池３２の使用寿命を確実に延長することが可能となる。
【符号の説明】
【００１７】
１：取付対象物、２：発光装飾品、３：連結ユニット、４：造形物、５：発光装置、６：固定端、７：ストッパー、８：穿孔、９１：発光ユニット、９２：振動センサー、９３：電池、１０：取付対象物、１０１：連結孔、１１：連結ユニット、１２：固定部、１３：ストッパー、１４：連結部、１５：第一制止面、１６：第二制止面、１７：弧状面、１８：壁面、１９：陥没溝、２１：造形物、２２：底面、２３：開口部、２４：密閉空間、２５：接触部、２６：頂面、３１：発光装置、３２：電池、３３：回路制御板、３３１：頂面、３３２：底面、３４：振動センサー、３５：発光ユニット、３６：スイッチ
【図１】
0003153617.tif 000003
【図２】
0003153617.tif 000004
【図３】
0003153617.tif 000005
【図４】
0003153617.tif 000006
【図５】
0003153617.tif 000007